(57)【要約】【課題】軸方向の寸法が薄い加湿装置を提供する。【解決手段】加湿装置は、ケーシングと、ケーシング内に配置されたファンと、ファンによって生じた空気流に加湿を行うための加湿機構４０とを備え、加湿機構４０は、外周部にギヤ１１０を有する旋回枠１００と、上記空気流が通過する加湿部材３００と、加湿部材３００に水を掛けるバケット２００と、旋回枠１００に取り付けられた押さえ枠とを有する。ギヤ１１０およびバケット２００が、同一平面上に配置されている。これにより、加湿機構４０の軸方向の寸法を薄くすることができる。また、バケット２００は押さえ枠に一体成形されているので、部品点数および組立工数を減らすことができる。【選択図】図５Ａ
2014020620.tif 000002
【特許請求の範囲】
【請求項１】
ケーシング(１)と、
上記ケーシング(１)内に配置されたファン(２０)と、
上記ファン(２０)によって生じた空気流に加湿を行うための加湿機構(４０)と
を備え、
上記加湿機構(４０)は、
外周部に回転力伝達部を有する旋回枠(１００)と、
上記空気流が通過する加湿部材(３００)と、
上記加湿部材(３００)に水を掛ける第１バケット(２００)と、
上記旋回枠(１００)に取り付けられた押さえ枠(４００)と
を有し、
上記回転力伝達部および上記第１バケット(２００)が、同一平面上に配置され、
上記第１バケット(２００)は上記押さえ枠(４００)に一体成形されていることを特徴とする加湿装置。
【請求項２】
請求項１に記載の加湿装置において、
上記加湿機構(４０)は、上記押さえ枠(４００)とは別体に成形された第２バケット(１２００)を有することを特徴とする加湿装置。
【請求項３】
請求項１または２に記載の加湿装置において、
上記加湿部材(３００)は、上記回転力伝達部および上記第１バケット(２００)と、同一平面上に配置されていることを特徴とする加湿装置。
【請求項４】
請求項１から３までのいずれか一項に記載の加湿装置において、
上記回転力伝達部はギヤ(１１０)であることを特徴とする加湿装置。
【発明の詳細な説明】
【技術分野】
【０００１】
本発明は加湿装置に関する。
【背景技術】
【０００２】
従来、加湿装置としては、特開２０１０−５４１２５号公報（特許文献１）に記載のものがある。この加湿装置は、ケーシング内に、ファンと、加湿部材と、旋回枠とを設け、この旋回枠の外周部に設けたギヤとバケットとを軸方向に重なるように配置して、上記バケットで水トレーから水を汲み上げて加湿部材に掛けて、加湿部材を通過する空気流に加湿を行うようにしている。
【先行技術文献】
【特許文献】
【０００３】
【特許文献１】特開２０１０−５４１２５号公報
【発明の概要】
【発明が解決しようとする課題】
【０００４】
ところが、上記従来の加湿装置では、旋回枠の外周部に設けたギヤとバケットとが軸方向に重なるように配置しているため、軸方向の寸法が厚くなるという問題がある。
【０００５】
そこで、本発明の課題は、軸方向の寸法が薄い加湿装置を提供することにある。
【課題を解決するための手段】
【０００６】
上記課題を解決するため、この発明の加湿装置は、
ケーシングと、
上記ケーシング内に配置されたファンと、
上記ファンによって生じた空気流に加湿を行うための加湿機構と
を備え、
上記加湿機構は、
外周部に回転力伝達部を有する旋回枠と、
上記空気流が通過する加湿部材と、
上記加湿部材に水を掛ける第１バケットと、
上記旋回枠に取り付けられた押さえ枠と
を有し、
上記回転力伝達部および上記第１バケットが、同一平面上に配置され、
上記第１バケットは上記押さえ枠に一体成形されていることを特徴としている。
【０００７】
上記構成の加湿装置によれば、上記旋回枠の外周部の回転力伝達部と第１バケットとが同一平面上に配置されているから、この加湿機構、ひいては、加湿装置の軸方向の寸法を薄くすることができる。
【０００８】
また、上記第１バケットは押さえ枠に一体成形されているので、部品点数および組立工数を減らして、製造コストを低減できる。
【０００９】
また、上記旋回枠が外周部に回転力伝達部を有するので、回転力伝達部のような部分を押さえ枠に設けなくてよい。したがって、上記押さえ枠への第１バケットの一体成形が複雑困難にならないようにすることができる。
【００１０】
一実施形態の加湿装置では、
上記加湿機構は、上記押さえ枠とは別体に成形された第２バケットを有する。
【００１１】
上記実施形態によれば、上記加湿機構は、押さえ枠とは別体に成形された第２バケットを有するので、バケット数を増すことができる。したがって、上記押さえ枠とは一体に成形された第１バケットと、押さえ枠とは別体に成形された第２バケットとを用いて、加湿部材に水を効率良くかけて、加湿効率を向上させることができる。
【００１２】
一実施形態の加湿装置では、
上記加湿部材は、上記回転力伝達部および上記第１バケットと、同一平面上に配置されている。
【００１３】
上記実施形態によれば、上記旋回枠の外周部の回転力伝達部と第１バケットと加湿部材とが同一平面上に配置されているから、この加湿機構、ひいては、加湿装置の軸方向の寸法をさらに薄くすることができる。
【００１４】
一実施形態の加湿装置では、
上記回転力伝達部はギヤである。
【００１５】
上記実施形態によれば、回転力伝達部としてギヤを用いることによって、例えば駆動モータからの駆動力を旋回枠に確実に伝えることができる。
【発明の効果】
【００１６】
本発明の加湿装置によれば、ファンによって生じた空気流に加湿を行うための加湿機構を備え、加湿機構は、外周部に回転力伝達部を有する旋回枠と、空気流が通過する加湿部材と、加湿部材に水を掛ける第１バケットと、旋回枠に取り付けられた押さえ枠とを有し、回転力伝達部および第１バケットが、同一平面上に配置されているから、この加湿機構、ひいては、加湿装置の軸方向の寸法を薄くすることができる。
【００１７】
また、上記第１バケットは押さえ枠に一体成形されているので、部品点数および組立工数を減らして、製造コストを低減できる。
【００１８】
また、上記旋回枠が外周部に回転力伝達部を有するので、回転力伝達部のような部分を押さえ枠に設けなくてよい。したがって、上記押さえ枠への第１バケットの一体成形が複雑困難にならないようにすることができる。
【図面の簡単な説明】
【００１９】
【図１】図１はこの発明の実施の一形態の加湿装置の斜視図である。
【図２】図２は上記加湿装置の縦断面図である。
【図３】図３は上記加湿装置の加湿機構の分解斜視図である。
【図４Ａ】図４Ａは組み立て状態の上記加湿機構の斜視図である。
【図４Ｂ】図４Ｂは上記加湿機構の側面図である
【図４Ｃ】図４Ｃは上記加湿機構が取り付けられた水トレーを本体ケーシングに装着する手順を説明するための図である。
【図４Ｄ】図４Ｄは上記加湿装置を正面から見た断面模式図である。
【図５Ａ】図５Ａは図４ＢのVA−VA線から見た加湿機構の断面図である。
【図５Ｂ】図５Ｂは図５Ａに示す加湿機構の要部の拡大断面図である。
【図６】図６は上記加湿機構を上流側から見た正面図である。
【図７Ａ】図７Ａは上記加湿機構の旋回枠を上流側から見た正面図である。
【図７Ｂ】図７Ｂは上記旋回枠の側面図である。
【図７Ｃ】図７Ｃは上記加湿機構の旋回枠を下流側から見た後面図である。
【図８Ａ】図８Ａは上記加湿機構の加湿部材の正面図である。
【図８Ｂ】図８Ｂは上記加湿機構の加湿部材の側面図である。
【図９Ａ】図９Ａは上記加湿機構の押さえ枠を上流側から見た正面図である。
【図９Ｂ】図９Ｂは上記加湿機構の押さえ枠を下流側から見た後面図である。
【図１０Ａ】図１０Ａは上記バケットの注ぎ口の形状を説明するための模式図である。
【図１０Ｂ】図１０Ｂは上記バケットの注ぎ口の他の形状を説明するための模式図である。
【図１１】図１１は上記加湿機構の軸部の側面図である。
【図１２】図１２は上記加湿機構の変形例を説明するための図である。
【発明を実施するための形態】
【００２０】
以下、この発明の加湿装置を図示の実施の形態により詳細に説明する。
【００２１】
図１はこの発明の実施の一形態の加湿装置の斜視図を示している。図１に示すように、この加湿装置は、ケーシング１を備え、このケーシング１は、ケーシング本体２と、このケーシング本体２に着脱可能に取り付けられた前面パネル３とからなる。上記ケーシング１の両側面には吸込口５,５(図１では１つのみを示す)を設け、ケーシング１の上面の後部に吹出口６を設けている。
【００２２】
図２は上記加湿装置の縦断面図を示している。図１に示す同一の構成部には同一参照番号を付している。
【００２３】
この加湿装置は、図２に示すように、ケーシング１内に前面側から順に、空気清浄フィルタユニット３０と、加湿機構４０と、ファンモータ２１で駆動されるファン２０とを配置している。なお、図２では、図示していないが、水タンク１０を加湿機構４０の側方に配置している(図４Ｃ参照)。また、図２において、７１は電源用プリント基板、７２は操作制御用プリント基板、７３は表示用プリント基板、７４は埃センサ、７５は予備用フィルタ、８０は制御部である。
【００２４】
上記空気清浄フィルタユニット３０とは、正面視で大略矩形である。また、上記空気清浄フィルタユニット３０の下側の部分と加湿機構４０とが前後方向に重なっている。さらに、上記空気清浄フィルタユニット３０および加湿機構４０は、ファン２０のベルマウス２３の少なくとも一部に重なるように配置し、つまり、ベルマウス２３の少なくとも一部を覆うように配置して、ファン２０からの騒音を低減するようにしている。
【００２５】
また、上記空気清浄フィルタユニット３０は、大きな埃やペットの毛等を捕集するためのプレフィルタ３１と、埃や塵等に帯電をさせるイオン化部３２と、帯電した埃や塵等を捕集する例えばプリーツフィルタからなる集塵フィルタ３３と、タバコの臭いやペットの臭い等の悪臭成分を捕集する脱臭フィルタ３４とを含む。上記プレフィルタ３１、イオン化部３２、集塵フィルタ３３および脱臭フィルタ３４は、ケーシング１の前面側から順に、略一直線状に配列している。なお、集塵フィルタ３３は、表面積の大きなプリーツフィルタであるため、通風抵抗を低減できる。
【００２６】
また、図２に示すように、空気清浄フィルタユニット３０の脱臭フィルタ３４および集塵フィルタ３３等は、ファン２０のベルマウス２３全体に重ねる一方、加湿機構４０は、ベルマウス２３の下側の部分に重ねるが、ベルマウス２３の上側の部分には重ねない。したがって、上記脱臭フィルタ３４の上側の部分からベルマウス２３の上側の部分に至る非加湿通路５１を流れる空気は、加湿機構４０を経由しないので、非加湿通路５１を流れる空気の通風抵抗を低減でき、特に、加湿運転を行わないで空気清浄運転のみを行う場合に、十分な風量(空気量)を確保できるようになっている。
【００２７】
一方、上記空気清浄フィルタユニット３０の脱臭フィルタ３４の下側の部分から加湿機構４０への加湿通路５２と、上記脱臭フィルタ３４の上側の部分からファン２０のベルマウス２３の上側の部分に至る非加湿通路５１とを、仕切り板５０で仕切っている。
【００２８】
この仕切り板５０により、加湿通路５２から非加湿通路５１への空気の流れを防止して、つまり、加湿通路５２から加湿機構４０をバイパスする空気の流れを防止して、加湿通路５２に流れる空気の殆どを加湿機構４０に流して、大きな加湿量を得ることができるようにしている。
【００２９】
また、上記仕切り板５０は、空気清浄フィルタユニット３０の脱臭フィルタ３４からファン２０の近傍まで延びている。あるいは、図示しないが、上記仕切り板５０は、脱臭フィルタ３４からベルマウス２３の近傍まで延びていてもよい。これにより、上記加湿機構４０を出た加湿空気と、非加湿通路５１を流れる非加湿空気との衝突による乱流を防止して、通風抵抗を低減し、また、騒音を低減するようにしている。
【００３０】
図３は上記加湿装置の加湿機構４０の分解斜視図を示している。
【００３１】
上記加湿機構４０は、図３に示すように、回転力伝達部の一例としてのギヤ１１０が外周部に設けられた円板形状の旋回枠１００と、円盤状の加湿部材３００と、円板形状の押さえ枠４００と、軸部５００とを備えている。加湿部材３００は、旋回枠１００と押さえ枠４００とで挟んで固定される。そして、旋回枠１００の中心に設けられた軸穴１００aと、加湿部材３００の中心に設けられた軸穴３００aと、押さえ枠４００の中心に設けられた軸穴４００aとに、軸部５００を軸方向に挿入して、軸部５００を旋回枠１００に固定する。
【００３２】
上記押さえ枠４００は、樹脂成形により、６個のバケット２００と一体に形成している。この６個のバケット２００は、押さえ枠４００の外周側に位置するように周方向等間隔に設けられている。なお、バケット２００は第１バケットの一例である。
【００３３】
また、上記旋回枠１００の外周部のギヤ１１０にギヤドモータ７０(図２に示す)の出力軸に連結されたギヤを噛合して、旋回枠１００をギヤドモータ７０で駆動できるようにしている。
【００３４】
上記ギヤドモータ７０は、図２に示すように、加湿機構４０に、空気流の流通方向に重ならないように配置して、ギヤドモータ７０が、加湿機構４０を通る空気流の邪魔にならないようにしている。これにより、上記加湿機構４０を通過する空気量を増大して、加湿量を増大できるようになっている。
【００３５】
また、６個のバケット２００は、旋回枠１００の回転に伴って下方の水トレー９０(図４Ｃに示す)で汲み上げた水を上方で加湿部材３００に注ぐようになっている。
【００３６】
なお、この実施の形態では、６個のバケット２００を旋回枠１００に一体形成していたたが、バケットの数は、加湿量などに応じて適宜設定すればよく、少なくとも２個以上であればよい。
【００３７】
図４Ａは組み立て状態の加湿機構４０の斜視図を示し、図４Ｂは加湿機構４０の側面図を示している。図４Ａ,図４Ｂにおいて、図３に示す同一の構成部には同一参照番号を付している。
【００３８】
また、図４Ｃは加湿機構４０が取り付けられた水トレー９０を本体ケーシング２に装着する手順を説明するための図を示している。図４Ｃに示すように、加湿機構４０と水タンク１０が組み込まれた水トレー９０を、本体ケーシング２の右側の吸込口５近傍かつ後面側に設けられた水トレー用挿入口２aに側方から装着する。
【００３９】
また、図４Ｄは上記加湿装置を正面から見た断面模式図を示しており、図４Ｄにおいて、９６は仕切板である。
【００４０】
図４Ｄに示すように、水トレー９０には、仕切り壁９１を設けて、汲み上げ部９２と非汲み上げ部９３とに仕切っている。この仕切り壁９１の下部に通水孔としての横に長い長穴９５を設けている。旋回運動する加湿機構４０のバケット２００が汲み上げ部９２から水を汲み上げる。
【００４１】
上記非汲み上げ部９３には、フロートスイッチ９４を設けて、非汲み上げ部９３の水位が定常状態よりも一定値だけ低くなると、水タンク１０に水がないことを表す表示または警報を、図示しない表示部または警報部で行うようにしている。
【００４２】
〔加湿機構の詳細構成〕
図５Ａは図４ＢのVA−VA線から見た加湿機構４０の断面図を示している。
【００４３】
図５Ａに示すように、加湿機構４０は矢印Ｒ１の方向に回転する。旋回枠１００のギヤ１１０の径方向内側に、各バケット２００の汲み上げ口２０１の開口を旋回方向の前方に向けて各バケット２００を周方向に配置している。上記各バケット２００の径方向内側に加湿部材３００を配置している。
【００４４】
このように、上記加湿機構４０において、旋回枠１００のギヤ１１０と加湿部材３００と６個のバケット２００とを同一平面上に配置している。
【００４５】
また、上記旋回枠１００のギヤ１１０の径方向内側にバケット２００を配置すると共に、バケット２００の径方向内側に加湿部材３００を配置している。これによって、旋回枠１００のギヤ１１０と加湿部材３００とバケット２００とが最適な位置に配置されるので、加湿機構４０の軸方向寸法を確実に薄くできる。
【００４６】
図５Ｂは図５Ａに示す加湿機構４０の要部の拡大図を示している。この図５Ｂにおいて、図５Ａに示す同一の構成部には、同一参照番号を付している。なお、図５Ｂでは、ギヤ１１０の内周面１１１の図示は省略している。
【００４７】
図５Ｂに示すように、各バケット２００には、６個のバケット２００の径方向内側に開口する注ぎ口２０２を設けている。また、図５Ｂにおいて、１０６aはバケット２００の汲み上げ口２０１近傍に径方向外側に延びる壁部である。
【００４８】
また、図６は加湿機構４０を上流側から見た正面図を示している。
【００４９】
図４Ａ，図６に示すように、上記旋回枠１００リング状円板部１０１に設けられた係合穴１０１cに、押さえ枠４００のリング状円板部４０１(図１５Ａに示す)に設けられた係合爪４１０が係合している。
【００５０】
〔旋回枠単体〕
図７Ａは上記旋回枠１００を上流側から見た正面図を示しており、図７Ｂは旋回枠１００の側面図を示している。
【００５１】
図７Ａ,図７Ｂに示すように、旋回枠１００は、外周部にギヤ１１０が設けられたリング状円板部１０１と、リング状円板部１０１の中心部に配置されたボス部１０２と、このリング状円板部１０１とボス部１０２とを連結する放射状の６つのアーム部１０３,１０３,…とを有する。上記アーム部１０３,１０３,…同士をリング部１０４で連結して補強をしている。
【００５２】
上記リング状円板部１０１に周方向かつ等間隔に、略円形状の給水穴１０１aと長穴形状の給水穴１０１bとを交互に設けている。また、リング状円板部１０１の給水穴１０１a,１０１bの近傍かつ径方向内側に、径方向内側に向かって延びるガイド部１０５を夫々設けている。このガイド部１０５を周方向等間隔(３０ｄｅｇ毎)に配置している。そして、リング状円板部１０１のガイド部１０５間に円弧状のリブ１０６(図７Ｃに示す)を夫々設けている(係合穴１０１cの部分を除く)。
【００５３】
上記リング状円板部１０１とボス部１０２とアーム部１０３,１０３,…とリング部１０４を樹脂成形により一体に形成している。
【００５４】
また、リング状円板部１０１の給水穴１０１aの近傍かつ径方向内側に係合穴１０１cを夫々設けている。この係合穴１０１cは、旋回枠１００のリング状円板部１０１かつバケット２００の汲み上げ口２０１と反対側の奥部の近傍に設けられている。
【００５５】
図７Ｃは上記旋回枠１００を下流側から見た後面図を示している。図７Ｃにおいて、図７Ａ, 図７Ｂに示す同一の構成部には同一参照番号を付している。
【００５６】
図７Ａ,図７Ｃに示すように、旋回する加湿機構４０において、旋回枠１００のリング状円板部１０１の給水穴１０１a,１０１bは、鉛直方向下側にあるとき、すなわち、水トレー９０(図４Ｃに示す)内の水面よりも下側にあるとき、給水穴１０１a,１０１bを介して加湿機構４０内のバケット２００に水を導く。
【００５７】
この給水穴１０１a,１０１bは、バケット２００の汲み上げ口２０１の開口の径方向内縁よりも径方向外側にが部分的に重なっている。
【００５８】
〔加湿部材単体〕
図８Ａは上記加湿部材３００の正面図を示しており、図８Ｂは加湿部材３００の側面図を示している。
【００５９】
図８Ａ,図８Ｂに示すように、加湿部材３００は、円盤部３０１と、円盤部３０１の外周側に設けられ、円盤部３０１よりも薄肉のフランジ部３０２とを有する。この円盤部３０１の中央に貫通穴３００aを設けると共に、円盤部３０１のフランジ部３０２近傍かつ周方向等間隔に１２個の取付穴３０３を設けている。また、加湿部材３００のフランジ部３０２と円盤部３０１の段差部分には、バケット２００の注ぎ口２０２(図５Ｂに示す)が対向するようになっている。
【００６０】
この加湿部材３００は、例えば、不織布等からなり、いわゆる気化フィルタ等であって、空気を通過させ、この通過する空気に気化した水分で加湿する。
【００６１】
〔押さえ枠単体〕
図９Ａは上記押さえ枠４００を上流側から見た正面図を示しており、図９Ｂは加湿機構４０の押さえ枠４００を下流側から見た後面図を示している。
【００６２】
図９Ａ，図９Ｂに示すように、押さえ枠４００は、リング状円板部４０１と、リング状円板部４０１の中心部に配置されたボス部４０２と、このリング状円板部４０１とボス部４０２とを連結する放射状の６つのアーム部４０３,４０３,…とを有する。また、リング状円板部４０１の径方向内側に水飛び防止用のネット４０４を設けている。この実施の形態では、ネット４０４の網目のピッチは０．５ｍｍであり、線径は５０デニールである。
【００６３】
また、上記リング状円板部４０１とボス部４０２とアーム部４０３,４０３,…と６個のバケット２００とを、樹脂成形により一体に形成している。このとき、ネット４０４も一体に形成される。
【００６４】
また、上記押さえ枠４００のリング状円板部４０１に周方向等間隔に６つの係合爪４１０を設けている。
【００６５】
上記加湿機構４０において、ネット４０４を加湿部材３００の下流側に配置している。
【００６６】
また、上記ネット４０４の最大穴径は、加湿部材３００の最大穴径よりも小さくしている。
【００６７】
また、上記リング状円板部４０１の内周側に上流側に向かって突出する１２個の突起４１１を周方向等間隔に立設している。この１２個の突起４１１は、加湿部材３００のフランジ部３０２近傍に設けられた１２個の取付穴３０３に挿入されることによって、押さえ枠４００に対して加湿部材３００の径方向の位置決めを行う。
【００６８】
図５Ａ，図５Ｂに示すように、上記バケット２００は、汲み上げ口２０１から後方に向かって奥が徐々に細くなった断面矩形の筒が湾曲した形状をしている。このバケット２００の径方向外側が外周面２１０である。
【００６９】
また、上記バケット２００の汲み上げ口２０１近傍に径方向内側に向かって開口する注ぎ口２０２を設けている。
【００７０】
このような汲み上げ口２０１と注ぎ口２０２を有するバケット２００を、押さえ枠４００に樹脂成形により一体に形成している。
【００７１】
図１０Ａはバケット２００の注ぎ口２０２の形状を説明するための模式図を示しており、径方向内側から注ぎ口２０２を見た図である。図１０Ａに示すように、注ぎ口２０２の後縁２２０は階段状をしている。
【００７２】
上記バケット２００の注ぎ口２０２の後縁２２０は、加湿部材３００を貫通する空気流の上流側(図１０の右側)の部分が、後縁２２０の上流側の部分よりも下流に位置する注ぎ口２０２の後縁２２０の下流側(図１０の左側)の部分よりも、早く水が排出されるように後退している。
【００７３】
また、図１０Ｂはバケット２００の注ぎ口２０２の他の形状を説明するための模式図を示しており、径方向内側から注ぎ口２０２を見た図である。図１０Ｂに示すように、注ぎ口２０２の後縁２３０はノコギリ刃状をしている。
【００７４】
このように、旋回運動するバケット２００の径方向内側に開口する注ぎ口２０２の後縁２２０,２３０が折れ曲がった線で定義されている。
【００７５】
また、図５Ａに示すように、上記ギヤ１１０の内周面１１１にバケット２００の外周面２１０側が当接し、旋回枠１００にバケット２００の内周側を、壁の一例としてのリブ１０６により拘束している。
【００７６】
また、図５Ｂに示すように、旋回枠１００のリング状円板部１０１に形成されたリブ１０６において、バケット２００の汲み上げ口２０１近傍に径方向外側に延びる壁部１０６aを立設している。この壁部１０６aの径方向外側の端が、バケット２００の汲み上げ口２０１の径方向内側の内面２００aよりも径方向外側に位置する。
【００７７】
なお、この実施の形態では、押さえ枠４００にネット４０４を一体に形成したが、これに限らず、押さえ枠とは別体のネットを加湿部材の下流側に配置してもよい。
【００７８】
〔軸部単体〕
図１０は加湿機構４０の軸部５００の側面図を示している。図１０に示すように、旋回枠１００と加湿部材３００(図３に示す)と押さえ枠４００を貫通する主部５０１と、主部５０１の上流側(図１０の左側)に設けられた第１の環状溝部５０２と、主部５０１の下流側(図１０の右側)に設けられた第２の環状溝部５０３とを有する。
【００７９】
上記第１の環状溝部５０２の環状溝５０２aに、水トレー９０(図４Ｃに示す)から上方に立設された支持部材の一例としての第１の支持脚部６０１の軸受部(図示せず)が回転自在に嵌合する。また、上記第２の環状溝部５０３の環状溝５０３aを、水トレー９０から上方に立設された支持部材の一例としての第２の支持脚部６０２の軸受部(図示せず)が回転自在に嵌合する。
【００８０】
上記構成の加湿装置によれば、加湿機構４０において、旋回枠１００の外周部に設けられたギヤ１１０と、旋回枠１００の回転に伴って汲み上げた水を加湿部材３００に注ぐバケット２００とを同一平面上に配置することによって、加湿機構４０の軸方向寸法を薄くして、装置本体の奥行きを薄くすることができる。
【００８１】
なお、回転力伝達部はギヤ１１０に限らず、回転力を伝達するローラーなどの伝達機構を用いてもよい。
【００８２】
また、上記バケット２００は押さえ枠４００に一体成形されているので、部品点数および組立工数を減らして、製造コストを低減できる。
【００８３】
また、上記旋回枠１００が外周部にギヤ１１０を有するので、ギヤ１１０のような部分を押さえ枠４００に設けなくてよい。したがって、押さえ枠４００へのバケット２００の一体成形が複雑困難にならないようにすることができる。
【００８４】
また、加湿機構４０において、旋回枠１００の外周部に設けられたギヤ１１０と、その旋回枠１００に取り付けられた加湿部材３００と、旋回枠１００の回転に伴って汲み上げた水を加湿部材３００に注ぐバケット２００とを同一平面上に配置することによって、加湿機構４０の軸方向寸法をより薄くできる。
【００８５】
また、回転力伝達部の一例としてギヤ１１０を用いることによって、ギヤドモータ７０からの駆動力を旋回枠１００に確実に伝えることができる。
【００８６】
また、上記実施の形態では、旋回枠１００のギヤ１１０とバケット２００と加湿部材３００とを同一平面上に配置していたが、旋回枠１００のギヤ１１０とバケット２００とを同一平面上に配置するが、加湿部材３００は旋回枠１００のギヤ１１０とバケット２００と同一平面上に配置されないようにしてもよい。このようにする場合、例えば、旋回枠１００のギヤ１１０とバケット２００よりも下流側に加湿部材３００を配置してもよい。
【００８７】
また、上記旋回枠１００のギヤ１１０の径方向内側にバケット２００を配置すると共に、バケット２００の径方向内側に加湿部材３００を配置することによって、旋回枠１００のギヤ１１０と加湿部材３００とバケット２００とが最適な位置に配置されるので、加湿機構４０の軸方向寸法を確実に薄くできる。
【００８８】
上記旋回枠１００を回転支持する軸部５００において、ファン２０により供給される空気の流れの上流側の加湿部材３００からの突出部分よりも下流側の加湿部材３００からの突出部分の軸方向寸法を短くしている。より詳しくは、加湿部材３００よりも上流側に突出している部分の軸方向長さＬ１に対して、加湿部材３００よりも下流側に突出している部分の軸方向長さＬ２を短くしている。これによって、加湿部材３００の上流側にバケット２００から水を注ぐ構成とすることで、加湿機構４０の下流側に軸部を除いて軸方向に突出する部分を無くせるので、下流側で軸部５００を支持する支持脚部の奥行きを短くでき、加湿機構４０の軸方向寸法をより薄くできる。
【００８９】
また、厚肉の円盤部３０１と、その円盤部３０１の外周側に設けられた薄肉のフランジ部３０２とを有する加湿部材３００を用いて、その加湿部材３００のフランジ部３０２と円盤部３０１の段差部分に対向するように注ぎ口２０２をバケット２００に設けることによって、加湿機構４０の軸方向寸法を薄くしても、バケット２００から加湿部材３００への水を注ぐ注ぎ口２０２の開口面積に対して、その注ぎ口２０２に対向する加湿部材３００の水をしみ込ませる部分の表面積を広くすることができる。
【００９０】
また、上記バケット２００の汲み上げ口２０１の開口の径方向内縁よりも径方向外側に給水穴１０１a,１０１bが部分的に重なることによって、旋回運動中の旋回枠１００の下側に位置するバケット２００の汲み上げ口２０１の上縁よりも低い位置に少なくとも給水穴１０１a,１０１bの一部が位置するので、給水穴を必要以上に大きくすることがない。
【００９１】
また、上記バケット２００の汲み上げ口２０１の開口の径方向外縁に給水穴１０１a,１０１bが重なることによって、旋回運動中の旋回枠１００の下側に位置するバケット２００の汲み上げ口２０１の下縁より高い位置に少なくとも給水穴１０１a,１０１bの一部が位置するので、バケット２００の汲み上げ口２０１に給水穴１０１a,１０１bを介して確実に水を導くことができる。
【００９２】
また、上記バケット２００の汲み上げ口２０１の開口の近傍に給水穴１０１a,１０１bを配置することにより、給水穴１０１a,１０１bを介してバケット２００の汲み上げ口２０１に水を最短距離で導くことができる。
【００９３】
また、上記旋回枠１００の上流側の前面に給水穴１０１a,１０１bを設けることによって、給水穴１０１a,１０１bを介して水が下流側に飛ぶのを防止できる。
【００９４】
なお、押さえ枠を上流側に配置して旋回枠を下流側に配置した場合は、押さえ枠の上流側の前面に給水穴を設けることにより下流側への水飛びを防止できる。
【００９５】
また、上記加湿装置によれば、図１０Ａ,図１０Ｂに示すように、バケット２００の旋回運動の径方向内側に開口する注ぎ口２０２の後縁２２０,２３０は、折れ曲がった線で定義されているから、バケット２００が旋回運動をしながら旋回運動の上端近傍で、バケット２００の傾きで、注ぎ口２０２から水が径方向内側に排出されるときに、折れ曲がった線で定義される後縁２２０,２３０の最も後の部分(例えば２２０a)から最初に少量の水が排出され、次に、その後の部分よりも前の部分(例えば２２０b)から水が排出されて、水が徐々に排出されて、一気に大量の水が排出されることがない。したがって、加湿部材３００が乾いていても、水が加湿部材３００の中に染み込んでいくことができる。このように、注ぎ口２０２から水が徐々に排出されるから、注ぎ口２０２の全体に表面張力で水の膜ができて、この水の膜が破れて、一気に大量の水が塊となって、注ぎ口２０２から排出されるということがないから、加湿部材３００から水滴が下流側に飛ばされることがない。これにより、水飛びを防止できる。
【００９６】
また、上記バケット２００の注ぎ口２０２の後縁２２０,２３０は、加湿部材３００を通過する空気流に関して、注ぎ口２０２の後縁２２０,２３０の上流側の部分が、注ぎ口２０２の後縁の下流側の部分よりも、早く水が排出されるように、後退しているから、空気流に関して、加湿部材３００の上流側の部分に下流側の部分よりも、早く、水を掛けて、上流側の部分を先に湿らせて、その後、上流側の部分から湿りが伝えられた下流側の部分に水を掛けることになる。したがって、加湿部材３００が乾いているような環境でも、加湿部材３００の下流側の部分を上流側から湿らせた後、湿った下流側の部分に水を掛けることになるので、下流側の部分においても、加湿部材３００の中に水がスムーズに染み込み、水滴が加湿部材３００の下流側に飛ぶ水飛びを効果的に防止することができる。
【００９７】
また、図１０Ａに示すように、バケット２００の注ぎ口２０２の後縁２２０が、階段状に折れ曲がっているから、簡単な構造で、加湿部材３００に水を徐々に掛けて、水飛びを防止することができる。
【００９８】
また、図１０Ｂに示すように、バケット２００の注ぎ口２０２の後縁２３０が、ノコギリ刃状に折れ曲がっているから、簡単な構造で、加湿部材３００に水を徐々に掛けて、水飛びを防止することができる。
【００９９】
また、上記加湿装置によれば、旋回枠１００が回転することにより、バケット２００が旋回運動して加湿部材３００の頂上付近に位置すると、バケット２００内の水が注ぎ口２０２から流れ出て加湿部材３００にかかる。このとき、図５Ｂに示すように、バケット２００の旋回方向前方に開口する汲み上げ口２０１近傍の旋回枠１００には壁部１０６aが設けられ、この壁部１０６aの径方向外側の端が、汲み上げ口２０１の径方向内側の内面よりも径方向外側に位置するので、注ぎ口２０２から流れ出るべき水が汲み上げ口２０１から漏れ出るのを防ぐことができる。したがって、上記注ぎ口２０２から流れ出るべき水が減らないようにして、加湿部材３００に目標量の給水を行うことができる。
【０１００】
また、上記バケット２００が旋回運動して加湿部材３００の頂上付近に位置したとき、汲み上げ口２０１に対してバケット２００の旋回方向後方に注ぎ口２０２を設けているので、バケット２００内の水が汲み上げ口２０１に到達しにくくなる。したがって、上記注ぎ口２０２から流れ出るべき水が汲み上げ口２０１から漏れ出るのを防ぐ効果を高めることができる。
【０１０１】
また、上記バケット２００が旋回運動して加湿部材３００の頂上付近に位置したとき、注ぎ口２０２は径方向内側に開口しているので、バケット２００内の水が注ぎ口２０２から流れ出易くなる。したがって、上記バケット２００内に水が残りにくくなる。
【０１０２】
また、上記加湿装置によれば、ファン２０によって生じた空気流に加湿を行うため、水供給部(バケット２００)が加湿部材３００に水を供給する。このとき、上記加湿部材３００の空気流に関して下流側にネット４０４(図９Ａ，図９Ｂ)が配置されているので、加湿部材３００にかけられた水が飛ばされて、その加湿部材３００よりも下流側の他の部材にかかるのを防ぐことができる。
【０１０３】
また、図３に示すように、加湿部材３００の下流側にネット４０４を配置しているので、加湿部材３００を通過する風量が低下するのを防ぐことができる。
【０１０４】
また、上記加湿部材３００の下流側にネット４０４を配置しているので、加湿部材３００において加湿に寄与する面積が減らないようにして加湿量が低下するのも防ぐことができる。
【０１０５】
これに対して、上記加湿部材３００の下流側に例えば壁を設けた場合は、加湿部材３００にかけられた水が加湿部材３００の下流側に飛ばされるのを防ぐことができるが、加湿部材３００を通過する風量が低下したり、加湿部材３００において加湿に寄与する面積が減って加湿量が低下したりしてしまう。
【０１０６】
また、上記ネット４０４の最大穴は加湿部材３００の最大穴よりも小さいので、加湿部材３００にかけられた水が加湿部材３００の下流側に飛ばされるのを確実に防ぐことができる。
【０１０７】
また、図９Ａ，図９Ｂに示すように、ネット４０４は押さえ枠４００に一体成形されているので、部品点数および組立工数を減らして、製造コストを低減できる。
【０１０８】
また、上記実施の形態では、ネット４０４の最大穴は加湿部材３００の最大穴よりも小さくしていたが、加湿部材の最大穴と同じ大きさにしてもよい。
【０１０９】
また、上記実施の形態では、ネット４０４と押さえ枠４００を一体成形していたが、ネットと押さえ枠を別体に成形してもよい。このようにする場合、押さえ枠と別体に成形したネットを、加湿部材の下流側の例えばベルマウスに取り付けてもよい。
【０１１０】
また、図５Ａに示すように、ギヤ１１０の内周面１１１にバケット２００の外周部(外周面２１０側)が当接し、かつ、旋回枠１００に設けた壁(リブ１０６)で、バケット２００の内周部が拘束されているので、ギヤ１１０の弾性により、バケット２００を径方向の内側へ壁に向けて弾性的に押圧して、バケット２００を容易かつ確実に固定することができる。
【０１１１】
上記実施の形態では、空気清浄フィルタユニット３０と加湿機構４０とを備えた加湿装置について説明したが、空気清浄フィルタユニットを備えていない加湿装置にこの発明を適用してもよい。
【０１１２】
この発明の具体的な実施の形態について説明したが、この発明は上記実施の形態に限定されるものではなく、この発明の範囲内で種々変更して実施することができる。例えば、図１２に示すように、バケット２００間に、押さえ枠４００とは別体に成形されたバケット１２００を配置してもよい。このようにした場合、バケット数を増すことができるので、加湿部材３００に水を効率良くかけて、加湿効率を向上させることができる。なお、バケット１２００は第２バケットの一例である。
【０１１３】
また、上記バケット１２００は、旋回枠１００と押さえ枠４００とで挟んで固定するようにしてもよい。
【０１１４】
また、上記バケット１２００は、ギヤ１１０、加湿部材３００およびバケット２００と、同一平面上に配置されるようにしてもよいし、ギヤと、第１バケットの一例としてのバケットと、同一平面上に配置されるが、加湿部材とは同一平面上に配置されないようにしてもよい。
【符号の説明】
【０１１５】
１  ケーシング
２  ケーシング本体
３  前面パネル
５  吸込口
６  吹出口
１０  水タンク
２１  ファンモータ
２０  ファン
２３  ベルマウス
３０  空気清浄フィルタユニット
４０  加湿機構
７０  ギヤドモータ
７１  電源用プリント基板
７２  操作制御用プリント基板
７３  表示用プリント基板
７４  埃センサ
７５  予備用フィルタ
８０  制御部
９０  水トレー
１００  旋回枠
１００a  軸穴
１０１  リング状円板部
１０１a,１０１b  給水穴
１０１c  係合穴
１０２  ボス部
１０３,１０３,…  アーム部
１０４  リング部
１０５  ガイド部
１０６  リブ
１０６a  壁部
１０６b  突起
１２０  貫通穴
１３０  係止穴
１１０  ギヤ
１１１  内周面
２００，１２００  バケット
２０１  汲み上げ口
２０２  注ぎ口
２０４  フランジ
２０５  突起
２０６  突起
２０７  係合部
２１０  外周面
２２０,２３０  後縁
３００  加湿部材
３００a  軸穴
３０１  円盤部
３０２  フランジ部
３０３  取付穴
４００  押さえ枠
４００a  軸穴
４０１  リング状円板部
４０２  ボス部
４０３,４０３,…  アーム部
４０４  ネット
４１０  係合爪
５００  軸部
５０１  主部
５０２  第１の環状溝部
５０２a  環状溝
５０３  第２の環状溝部
５０３a  環状溝
６０１  第１の支持脚部
６０２  第２の支持脚部
【図１】
2014020620.tif 000003
【図２】
2014020620.tif 000004
【図３】
2014020620.tif 000005
【図４Ａ】
2014020620.tif 000006
【図４Ｂ】
2014020620.tif 000007
【図４Ｃ】
2014020620.tif 000008
【図４Ｄ】
2014020620.tif 000009
【図５Ａ】
2014020620.tif 000010
【図５Ｂ】
2014020620.tif 000011
【図６】
2014020620.tif 000012
【図７Ａ】
2014020620.tif 000013
【図７Ｂ】
2014020620.tif 000014
【図７Ｃ】
2014020620.tif 000015
【図８Ａ】
2014020620.tif 000016
【図８Ｂ】
2014020620.tif 000017
【図９Ａ】
2014020620.tif 000018
【図９Ｂ】
2014020620.tif 000019
【図１０Ａ】
2014020620.tif 000020
【図１０Ｂ】
2014020620.tif 000021
【図１１】
2014020620.tif 000022
【図１２】
2014020620.tif 000023